(57)【要約】【課題】  購入商品名や購入金額等のデータの手入力作業が不要な家計簿データ入力システムを実現する。【解決手段】  家計簿ソフトウェアにデータを入力する家計簿データ入力システムにおいて、ネットワーク接続されたＰＯＳサーバと、発行するレシートのデータをネットワークを介してＰＯＳサーバに登録すると共にレシートに対応するＩＤを生成して出力するＰＯＳ端末と、家計簿ソフトウェアがインストールされ入力されたＩＤに基づきＰＯＳサーバにネットワークを介してアクセスしてレシートに対応するデータを取得して家計簿ソフトウェアに入力するコンピュータとを設ける。【選択図】                    図１
2005115439.tif 000002
【特許請求の範囲】
【請求項１】
家計簿ソフトウェアにデータを入力する家計簿データ入力システムにおいて、
ネットワーク接続されたＰＯＳサーバと、
発行するレシートのデータを前記ネットワークを介して前記ＰＯＳサーバに登録すると共に前記レシートに対応するＩＤを生成して出力するＰＯＳ端末と、
家計簿ソフトウェアがインストールされ入力された前記ＩＤに基づき前記ＰＯＳサーバに前記ネットワークを介してアクセスして前記レシートに対応する前記データを取得して前記家計簿ソフトウェアに入力するコンピュータと
を備えたことを特徴とする家計簿データ入力システム。
【請求項２】
前記ＰＯＳ端末が、
前記レシートに前記ＩＤを印字することを特徴とする
請求項１記載の家計簿データ入力システム。
【請求項３】
前記ＰＯＳ端末が、
記録媒体に可視的に前記ＩＤを書き込むことを特徴とする
請求項１記載の家計簿データ入力システム。
【請求項４】
前記ＰＯＳ端末が、
記録媒体に電子的に前記ＩＤを書き込むことを特徴とする
請求項１記載の家計簿データ入力システム。
【請求項５】
前記ＰＯＳ端末が、
電子メールで前記ＩＤを通知することを特徴とする
請求項１記載の家計簿データ入力システム。
【請求項６】
前記ＰＯＳ端末が、
撮影機能を有する携帯電話若しくはＰＨＳに前記ＩＤを撮影させることを特徴とする
請求項１記載の家計簿データ入力システム。
【請求項７】
前記ＩＤが、
バーコード若しくは数字であることを特徴とする
請求項１乃至請求項６のいずれかに記載の家計簿データ入力システム。
【発明の詳細な説明】
【技術分野】
【０００１】
本発明は、家計簿ソフトウェアにデータを入力する家計簿データ入力システムに関し、特に購入商品名や購入金額等のデータの手入力作業が不要な家計簿データ入力システムに関する。
【背景技術】
【０００２】
従来の家計簿ソフトウェアにデータを入力する家計簿データ入力システムに関連する先行技術文献としては次のようなものがある。
【０００３】
【特許文献１】特開平０８−１９０５８３号公報
【特許文献２】特開平１１−２６５４０９号公報
【特許文献３】特開２００２−１１７２１９号公報
【特許文献４】特開２００２−３５２０６８号公報
【０００４】
図８は従来の家計簿データの入力方法を説明する説明図である。図８において１はスーパーマーケットやデパート等の店舗に設置されたＰＯＳ（Point Of Sale）端末、２は顧客の自宅に設置された家計簿ソフトウェアがインストールされたコンピュータである。
【０００５】
ここで、図８に示す家計簿データの入力方法を図９を用いて説明する。図９は処理の流れを説明するフロー図である。
【０００６】
図９中”Ｓ００１”において顧客は購入する商品の料金を精算し、図９中”Ｓ００２”において店舗の店員はＰＯＳ端末１を用いて顧客が購入した商品の商品名や購入金額等を印刷したレシートを発行して顧客に手渡す。
【０００７】
例えば、図８中”ＰＳ０１”に示す店員はＰＯＳ端末１が印刷した図８中”ＲＥ０１”に示すレシートを図８中”ＰＳ０２”に示す顧客に手渡す。
【０００８】
そして、図９中”Ｓ００３”において顧客は自宅に設置されたコンピュータ２の家計簿ソフトウェアを起動して、受領したレシートの内容（購入商品名や購入金額等）を参照しながら手入力でデータを入力する。
【０００９】
例えば、図８中”ＰＳ０２”に示す顧客は自宅に戻ってからコンピュータ２を操作して、図８中”ＲＥ０１”に示すレシートに印刷されている内容を参照しながら手入力でデータを入力する。
【００１０】
この結果、顧客は受領したレシートに基づき購入金額等のデータをコンピュータ２にインストールされた家計簿ソフトウェアに入力することができる。
【発明の開示】
【発明が解決しようとする課題】
【００１１】
しかし、図８に示すような従来例では、レシートに印刷された購入金額等のデータを手入力で家計簿ソフトウェアに入力しなければならず、作業が煩雑であると共にデータの入力ミスを犯す恐れが多分にあると言った問題点があった。
従って本発明が解決しようとする課題は、購入商品名や購入金額等のデータの手入力作業が不要な家計簿データ入力システムを実現することにある。
【課題を解決するための手段】
【００１２】
このような課題を達成するために、本発明のうち請求項１記載の発明は、
家計簿ソフトウェアにデータを入力する家計簿データ入力システムにおいて、
ネットワーク接続されたＰＯＳサーバと、発行するレシートのデータを前記ネットワークを介して前記ＰＯＳサーバに登録すると共に前記レシートに対応するＩＤを生成して出力するＰＯＳ端末と、家計簿ソフトウェアがインストールされ入力された前記ＩＤに基づき前記ＰＯＳサーバに前記ネットワークを介してアクセスして前記レシートに対応する前記データを取得して前記家計簿ソフトウェアに入力するコンピュータとを備えたことにより、購入商品名や購入金額等のデータの手入力作業が不要になる。
【００１３】
請求項２記載の発明は、
請求項１記載の発明である家計簿データ入力システムにおいて、
前記ＰＯＳ端末が、
前記レシートに前記ＩＤを印字することにより、購入商品名や購入金額等のデータの手入力作業が不要になる。
【００１４】
請求項３記載の発明は、
請求項１記載の発明である家計簿データ入力システムにおいて、
前記ＰＯＳ端末が、
記録媒体に可視的に前記ＩＤを書き込むことにより、購入商品名や購入金額等のデータの手入力作業が不要になる。
【００１５】
請求項４記載の発明は、
請求項１記載の発明である家計簿データ入力システムにおいて、
前記ＰＯＳ端末が、
記録媒体に電子的に前記ＩＤを書き込むことにより、購入商品名や購入金額等のデータの手入力作業が不要になる。
【００１６】
請求項５記載の発明は、
請求項１記載の発明である家計簿データ入力システムにおいて、
前記ＰＯＳ端末が、
電子メールで前記ＩＤを通知することにより、購入商品名や購入金額等のデータの手入力作業が不要になる。
【００１７】
請求項６記載の発明は、
請求項１記載の発明である家計簿データ入力システムにおいて、
前記ＰＯＳ端末が、
撮影機能を有する携帯電話若しくはＰＨＳに前記ＩＤを撮影させることにより、購入商品名や購入金額等のデータの手入力作業が不要になる。
【００１８】
請求項７記載の発明は、
請求項１乃至請求項６のいずれかに記載の発明である家計簿データ入力システムにおいて、
前記ＩＤが、
バーコード若しくは数字であることにより、購入商品名や購入金額等のデータの手入力作業が不要になる。
【発明の効果】
【００１９】
本発明によれば次のような効果がある。
請求項１，２，３，４，５，６及び請求項７の発明によれば、ＰＯＳ端末が商品名や購入金額等のデータをＰＯＳサーバに登録すると共に発行するレシートにバーコード等のＩＤを印字等して出力し、家計簿ソフトウェアがインストールされたコンピュータが入力されたＩＤに基づきＰＯＳサーバにアクセスしてレシートに関する商品名や購入金額等のデータを取得して家計簿ソフトウェアに入力することにより、購入商品名や購入金額等のデータの手入力作業が不要になる。
【発明を実施するための最良の形態】
【００２０】
以下本発明を図面を用いて詳細に説明する。図１は本発明に係る家計簿ソフトウェアにデータを入力する家計簿データ入力システムの一実施例を示す構成ブロック図である。図１において３は中央管理室等に設置されたＰＯＳ（Point Of Sale）サーバ、４はスーパーマーケットやデパート等の店舗に設置されたＰＯＳ（Point Of Sale）端末、５は顧客の自宅に設置された家計簿ソフトウェアがインストールされたコンピュータ、１００はＬＡＮ（Local Area Network）、ＷＡＮ（Wide Area Network）やインターネット等の汎用のネットワークである。
【００２１】
ＰＯＳサーバ３及びＰＯＳ端末４はそれぞれネットワーク１００に接続され、コンピュータ５もまたネットワーク１００に接続される。
【００２２】
ここで、図１に示す実施例の動作を図２、図３、図４、図５、図６及び図７を用いて詳細に説明する。図２はＰＯＳ端末４の動作を説明するフロー図、図３、図４、図６及び図７はデータの流れ等を説明する説明図、図５はコンピュータ５の動作を説明するフロー図である。
【００２３】
図２中”Ｓ１０１”においてＰＯＳ端末４は、顧客が購入する商品の料金を精算に際して、購入した商品の商品名や購入金額等のデータをネットワーク１００を介してＰＯＳサーバ３に登録する。
【００２４】
例えば、図３中”ＲＧ１１”に示すように、ＰＯＳ端末４はネットワーク１００を介してＰＯＳサーバ３にアクセスし、購入した商品の商品名や購入金額等のデータをＰＯＳサーバ３内のハードディスク等の記憶手段に格納して登録する。
【００２５】
そして、図２中”Ｓ１０２”においてＰＯＳ端末４は、購入した商品の商品名や購入金額等のデータを印刷したレシートを発行する際に当該レシートを識別する一意のＩＤを生成しレシートの一部分に当該ＩＤをバーコードや数字と言った形式で印字する。
【００２６】
例えば、ＰＯＳ端末４は、図４中”ＲＥ２１”に示すような購入した商品の商品名や購入金額等のデータを印刷したレシートの一部分に生成したＩＤをバーコードや数字と言った形式で印字する。
【００２７】
図５中”Ｓ２０１”においてコンピュータ５は、レシートを識別する一意のＩＤ（数字やバーコード等）がキーボードやバーコードリーダ等の入力手段を介して入力されたか否かを判断して、もし、レシートを識別するＩＤが入力されたと判断した場合には、図５中”Ｓ２０２”においてコンピュータ５は、ネットワーク１００を介してＰＯＳサーバ３にアクセスして入力されたＩＤに対応するレシートに関する商品名や購入金額等のデータを照会し当該データを取得する。
【００２８】
例えば、図６中”ＲＦ３１”に示すようにコンピュータ５は、ネットワーク１００を介してＰＯＳサーバ３にアクセスしてＰＯＳサーバ３内のハードディスク等の記憶手段に格納されている入力されたＩＤに対応するレシートのデータを照会し、図７中”ＲＤ４１”に示すように当該データを取得する。
【００２９】
そして、図５中”Ｓ２０３”においてコンピュータ５は、ＰＯＳサーバ３から取得した商品名や購入金額等のデータをインストールされている家計簿ソフトウェアに受け渡してデータを入力させる。
【００３０】
この結果、ＰＯＳ端末が商品名や購入金額等のデータをＰＯＳサーバ３に登録すると共に発行するレシートにバーコード等のＩＤを印字して出力し、家計簿ソフトウェアがインストールされたコンピュータ５が入力されたＩＤに基づきＰＯＳサーバ３にアクセスしてレシートに関する商品名や購入金額等のデータを取得して家計簿ソフトウェアに入力することにより、購入商品名や購入金額等のデータの手入力作業が不要になる。
【００３１】
なお、図１に示す実施例では発行するレシートに当該レシートを識別するためのＩＤを生成してバーコードや数字等の形式でレシート上に印字しているが、顧客に当該ＩＤを可視的に書き込むことが可能な会員カード等の記憶媒体を配布し、当該記憶媒体にＩＤを可視的に書き込んでも構わない。
【００３２】
さらに、顧客に当該ＩＤを電子的に書き込み／読み出し可能な会員カード等の記憶媒体を配布し、当該記憶媒体にＩＤを電子的に書き込み、顧客が当該記憶媒体に書き込まれたＩＤをコンピュータ５を読み出させても構わない。
【００３３】
また、図１に示す実施例では発行するレシートに当該レシートを識別するためのＩＤを生成してバーコードや数字等の形式でレシート上に印字しているが、予め設定されている顧客のメールアドレスに当該ＩＤをメールで通知しても構わない。
【００３４】
また、図１に示す実施例では発行するレシートに当該レシートを識別するためのＩＤを生成してバーコードや数字等の形式でレシート上に印字しているが、顧客の携帯する撮影機能を有する携帯電話やＰＨＳ（Personal Handyphone System）にＩＤを撮影させても構わない。
【００３５】
また、ＰＯＳサーバ３は、顧客情報に関わりなくネットワーク１００を介して照会されるＩＤのみに基づき購入商品名や購入金額等のデータを提供することにより、個人情報の流出やプライバシーの侵害等の危険性を低減することが可能になる。
【図面の簡単な説明】
【００３６】
【図１】本発明に係る家計簿ソフトウェアにデータを入力する家計簿データ入力システムの一実施例を示す構成ブロック図である。
【図２】ＰＯＳ端末の動作を説明するフロー図である。
【図３】データの流れ等を説明する説明図である。
【図４】データの流れ等を説明する説明図である。
【図５】コンピュータの動作を説明するフロー図である。
【図６】データの流れ等を説明する説明図である。
【図７】データの流れ等を説明する説明図である。
【図８】従来の家計簿データの入力方法を説明する説明図である。
【図９】処理の流れを説明するフロー図である。
【符号の説明】
【００３７】
１，４  ＰＯＳ（Point Of Sale）端末
２，５  コンピュータ
３  ＰＯＳ（Point Of Sale）サーバ
１００  ネットワーク
【図１】
2005115439.tif 000003
【図２】
2005115439.tif 000004
【図３】
2005115439.tif 000005
【図４】
2005115439.tif 000006
【図５】
2005115439.tif 000007
【図６】
2005115439.tif 000008
【図７】
2005115439.tif 000009
【図８】
2005115439.tif 000010
【図９】
2005115439.tif 000011